(57)【要約】      （修正有）【課題】先端部の分解・組み立ての作業性が良好な内視鏡を提供する。【解決手段】内視鏡は、挿入部の先端側に設けられた先端部本体と、先端部本体に設けられた回転軸と、回転軸に着脱可能であり、回転軸の回転に伴って回転する起立台５０と、を備え、起立台５０は、回転軸を挟んで対向して配置され、弾性変形可能な一対の把持部と、一対の把持部の少なくとも一方の把持部に設けられ、他方の把持部に向かって突出した抜け止め部と、を有する。【選択図】図１３
2018086271.tif 000002
【特許請求の範囲】
【請求項１】
挿入部の先端側に設けられた先端部本体と、
前記先端部本体に設けられた回転軸と、
前記回転軸に着脱可能であり、前記回転軸の回転に伴って回転する起立台と、
を備え、
前記起立台は、
前記回転軸を挟んで対向して配置され弾性変形可能な一対の把持部と、
前記一対の把持部の少なくとも一方の把持部に設けられ、他方の把持部に向かって突出した抜け止め部と、
を有する、内視鏡。
【請求項２】
前記一対の把持部は、それぞれ、前記回転軸の軸方向とは直交する方向に延びて形成されている、
請求項１に記載の内視鏡。
【発明の詳細な説明】
【技術分野】
【０００１】
本発明は内視鏡に関し、特に処置具の起立台及び当該起立台の起立機構を備えた内視鏡の先端部の構造に関する。
【背景技術】
【０００２】
内視鏡では、操作部に設けられた処置具挿入口に各種の処置具を挿入し、先端部に開口した処置具導出口から導出して処置に用いる。例えば十二指腸鏡ではガイドワイヤや造影チューブ、超音波内視鏡では穿刺針であり、その他、直視鏡や斜視鏡においては鉗子やスネア等の処置具が用いられる。このような処置具は、被検体内の所望の位置を処置するため先端部において導出方向を変える必要があり、このため先端部に処置具起立機構（起立台）が設けられている。
【０００３】
このような処置具起立機構としては、起立台にワイヤを取り付けてワイヤを内視鏡の基端側まで延設させ、操作部に備えられた操作レバーによりワイヤを押し引き動作することで起立台を回転軸回りに回転させて、起立位置と倒伏位置との間で位置を変更する機構が知られている。また、起立台の回動軸を隔壁を介して収容されているレバーと連結し、レバーにワイヤを取り付けて、操作部に備えられた操作レバーによりワイヤを押し引き動作することで起立台を回転軸回りに回転させ、起立位置と倒伏位置との間で位置を変更する機構（レバー式）も知られている。
【０００４】
このような処置具起立機構を備えた先端部は形状・構造が複雑になるため、消毒薬の回り込みや洗浄ブラシの挿通性（ブラシの毛先が届くこと）、あるいは水切れ性といった洗浄性の向上や、洗浄作業の容易性が求められている。そして従来、先端部のキャップや起立台を着脱可能にした内視鏡が知られている（例えば、特許文献１を参照）。このような内視鏡では、処置後にキャップや起立台を取り外して先端部を洗浄する。
【先行技術文献】
【特許文献】
【０００５】
【特許文献１】特開平６−３１５４５８号公報
【発明の概要】
【発明が解決しようとする課題】
【０００６】
しかし特許文献１に記載される内視鏡では、起上ピン及び起上ピンすり割りが先端部の基端側に開口しているため、すり割りの程度によっては操作中に起立台が先端側に外れるおそれがある。これを防止するには起上ピンのすり割りをきつく設定する必要があるが、起上台が小さく着脱の際に大きな力を加えにくいため、すり割りをきつくすると先端部の分解・組み立ての作業性が悪くなる。
【０００７】
本発明はこのような事情に鑑みてなされたもので、先端部の分解・組み立ての作業性が良好な内視鏡を提供することを目的とする。
【課題を解決するための手段】
【０００８】
上記目的を達成するために、本発明の第１の態様に係る内視鏡は、先端と基端とを有する挿入部と、操作部材を有し、挿入部の基端側に設けられる操作部と、前面と上面と下面とを有し、挿入部の先端側に設けられる先端部本体と、先端部本体に回転自在に設けられる起立台と、軸方向に垂直な断面が非円形の形状を有し、起立台を回転させる回転軸と、起立台に設けられる回転軸受け部であって、先端部本体に起立台を取り付けた際に下面とは反対側に開口する回転軸収容溝を有する回転軸受け部と、回転軸を回転させる起立台起立機構と、操作部材に連結される基端側連結部と、起立台起立機構に連結される先端側連結部とを有し、操作部材の操作によって押し引きされることにより回転軸を回転させて起立台を起立させる操作ワイヤと、先端部本体に設けられ、起立台を収容する空間部を形成する起立台収容スリットであって、先端部本体の上面から前面を通り下面まで延在して開口する起立台収容スリットと、先端部本体に着脱自在に設けられるキャップであって、先端部本体にキャップが装着された状態において、起立台収容スリットの上面側の開口部を開放する開口窓と、下面側の開口部を閉鎖する隔壁部とを有するキャップと、を備え、先端部本体にキャップが装着された状態において、回転軸受け部における回転軸収容溝の底面と先端部本体の下面に対向する面との間の肉厚をａとし、回転軸とキャップの隔壁部との間のギャップ距離をｂとし、回転軸収容溝の深さをｃとし、回転軸受け部の基端側肉厚をｄとしたとき、次の条件式（１）〜（３）を満たす。
【０００９】
ａ＜ｂ  …（１）
ａ＋ｃ＞ｂ  …（２）
ｂ＞ｄ  …（３）
なお回転軸受け部について「基端側肉厚」とは、回転軸収容溝の基端側の側壁面から起立台の基端までの距離をいうものとする。
【００１０】
本発明の第１の態様によれば、通常操作時には起立台収容スリットの下面側開口部がキャップの隔壁部によって閉鎖され、また起立台の回転軸受け部は、先端部本体に起立台を取り付けた際に下面とは反対側に開口する回転軸収容溝を有するので、処置具を起上操作する際の起立台の角度では起立台は構造的に外れることがなく、回転軸と回転軸受け部とを過度にきつく装着する必要がない。したがって先端部の分解・組み立て時の作業力量を適切に設定することができ、分解・組み立ての作業性が向上する。また、これにより先端部を迅速かつ容易に洗浄することができる。
【００１１】
第２の態様に係る内視鏡は第１の態様において、起立台起立機構は、回転軸に連結される起立台起立レバーを有し、操作ワイヤの先端側連結部は、起立台起立レバーに連結され、操作ワイヤは、操作部材の操作によって押し引きされることにより起立台起立レバーを介して回転軸を回転させて起立台を変位させる。
【００１２】
第２の態様は起立台変位機構の一態様を示すものである。
【発明の効果】
【００１３】
以上説明したように、本発明の内視鏡によれば、先端部の分解・組み立ての作業性が良好である。
【図面の簡単な説明】
【００１４】
【図１】本発明の一実施形態に係る内視鏡の全体構成を示す図である。
【図２】本発明の一実施形態に係る内視鏡の先端部の構成を示す斜視図である。
【図３】本発明の一実施形態に係る内視鏡の先端部分を示す図であり（ａ）は先端方向から見た様子を示す図、（ｂ）は上方から見た様子を示す図である。
【図４】本発明の一実施形態に係る内視鏡において、起立台起立レバーと起立台とが結合される様子を示す図である。
【図５】本発明の一実施形態に係る内視鏡において、起立台起立レバーの形状を示す図である。
【図６】本発明の一実施形態に係る内視鏡において、起立台の形状を示す図である。
【図７】本発明の一実施形態に係る内視鏡において、起立台起立レバーと起立台とが結合された状態における先端部を示す断面図である。
【図８】図７に示す断面図の部分拡大図である。
【図９】本発明の一実施形態に係る内視鏡の先端部を側面方向（起立台起立レバー側）から見た様子を示す図である。
【図１０】本発明の一実施形態に係る内視鏡の先端部を側面方向から見た様子を示す他の図である。
【図１１】本発明の一実施形態に係る内視鏡の先端部を側面方向から見た様子を示すさらに他の図である。
【図１２】本発明の一実施形態に係る内視鏡の操作部に設けられた、起立台のストッパ機構を示す概念図である。
【図１３】別発明に係る起立台の例を示す図である。
【図１４】別発明に係る起立台の他の例を示す図である。
【図１５】別発明に係る起立台のさらに他の例を示す図である。
【発明を実施するための形態】
【００１５】
以下添付図面を参照しつつ、本発明に係る内視鏡について説明する。図１は、第１の実施形態に係る内視鏡１０の全体構成を示す図である。
【００１６】
＜第１の実施形態＞
＜内視鏡の全体構成＞
図１に示すように、内視鏡１０は被検体の体内に挿入される挿入部１２を備え、挿入部１２の基端側に操作部１４が連結されている。操作部１４にはユニバーサルコード１６が接続され、内視鏡１０はこのユニバーサルコード１６を介して図示せぬ光源装置、画像処理装置（プロセッサ）等に接続されている。
【００１７】
＜挿入部の全体構成＞
挿入部１２は、先端側から基端側（操作部１４側）に向かって先端部１２ａ，湾曲部１２ｂ，軟性部１２ｃが順次連結されて構成されている。軟性部１２ｃの最基端側には、挿入部１２の折れ止め部材が設けられている。
【００１８】
＜操作部の構成＞
操作部１４には、湾曲部１２ｂの湾曲操作を行うためのアングルノブ１８や起立台４６（図２，４，６〜１１を参照）を変位（起立又は倒伏）させるための操作レバー２０、挿入部１２の先端に設けられた送気・送水ノズルからエアや水等を噴出させるための送気・送水ボタン２１ａ、及び吸引ボタン２１ｂ等が設けられている。上記操作レバー２０は、本発明における起立台を操作するための操作部材の一例である。また操作部１４の挿入部１２側には、各種処置具を導入するための処置具導入口２２が設けられている。
【００１９】
また送気・送水ボタン２１ａの操作に応じて、図示せぬ光源装置に内蔵された送気・送水装置からエアや水が供給され、上記送気・送水ノズルから観察窓３６（図２，３を参照）に向けて噴射される。一方、吸引ボタン２１ｂの操作に応じて、先端部１２ａに設けられた図示せぬ開口を介して吸引が行われる。処置具導入口２２に挿通された処置具の先端は処置具導入口２２に連通する不図示の鉗子チャンネルを通って先端部１２ａの開口から導出され、操作レバー２０を操作して起立台４６を変位（起立又は倒伏）させることで処置具の方向を変化させられるようになっている。
【００２０】
＜軟性部の構成＞
軟性部１２ｃは、最も内側が弾性のある薄い帯状板を螺旋状に巻回して形成された螺旋管であり、当該螺旋管の外側に金属線を編んだ網体を被覆し、その両端に口金を嵌合して管状体とし、管状体の外周面に樹脂からなる外皮が積層された構成となっている。
【００２１】
＜湾曲部の構成＞
湾曲部１２ｂは、不図示のアングルリングが相互に回動可能に連結されて構造体を構成し、この構造体の外周に金属線で編んだ網状体が被覆され、さらにゴム製の外皮で覆われた構成となっている。また操作部１４のアングルノブ１８から湾曲部１２ｂまで不図示の複数本のワイヤが延在されており、これらワイヤの先端部が湾曲部１２ｂを構成するアングルリングの先端部に固定されている。これにより、アングルノブ１８の操作に応じて、湾曲部１２ｂが上下左右に湾曲される。
【００２２】
＜先端部の構成＞
図２は、本実施形態に係る先端部１２ａの構造を示す分解斜視図である。図２に示すように、先端部１２ａは、先端部本体３０を覆うキャップ３２を有している。キャップ３２には、先端部本体３０に装着された状態において起立台収容スリット３８（図２〜４を参照）の上面側の開口部３８ａを開放する開口窓３２Ａと、下面側の開口部３８ｃを閉鎖する隔壁部３２Ｂと、が形成されており、キャップ３２を装着した状態では隔壁部３２Ｂにより起立台４６の倒伏が規制される。またキャップ３２は弾性力のある材質、例えばシリコンゴムからなり、キャップ３２の基端に設けられた内径の小さい小径部が先端部本体３０に形成された溝に嵌合されることで、キャップ３２が先端部本体３０に着脱可能に装着される。
【００２３】
先端部本体３０はステンレスなどの耐食性のよい金属によって構成され、先端部本体３０の中央位置には起立台収容スリット３８（図２〜４参照）が設けられている。この起立台収容スリット３８は起立台４６を収容する空間部を形成しており、図３，４に示すように、先端部本体３０の上面（起立台４６の回転軸を起点として鉗子出口側）から前面（先端部本体３０の先端側）を通って下面（回転軸４２ａを起点として鉗子出口方向と反対側）まで、開口部３８ａ，３８ｂ，３８ｃが延在して開口している。また先端部本体３０は、起立台収容スリット３８を挟んで互いに向き合う一対の側壁部４１ａ，４１ｂを有する。
【００２４】
なお図２〜４では、開口部３８ａ，３８ｂ，３８ｃを明示するため、キャップ３２，起立台起立レバー４２，起立台４６等の図示を適宜省略している。
【００２５】
このように本実施の形態に係る内視鏡１０では、起立台収容スリット３８に上面から前面を通って下面まで延在する開口部３８ａ，３８ｂ，３８ｃが形成されているので起立台４６の露出範囲が広く、先端部１２ａの分解・組み立て（起立台起立レバー４２や起立台４６の装着、取り外し等）の作業性が良好であり、また先端部１２ａを迅速かつ容易に洗浄することができる。
【００２６】
また、起立台収容スリット３８には不図示の処置具挿通チャンネルが連通される。この処置具挿通チャンネルは、内視鏡１０の挿入部１２に挿通されて操作部１４の処置具導入口２２に接続される。これにより、処置具導入口２２から処置具挿通チャンネルに処置具を挿入すると、処置具が起立台収容スリット３８に案内される。案内された処置具は起立台４６によって起立されて開口窓３２Ａから上方に導出される。
【００２７】
起立台収容スリット３８の一方の側壁部４１ａにおいて、起立台４６と反対側の面には起立レバー収容室４０が設けられ、この起立レバー収容室４０の内部には、起立台４６を揺動させるための起立台起立レバー４２が収容される。また、起立台収容スリット４３を挟んで起立レバー収容室４０の反対側の側壁部４１ｂには、光学系収容室４７が設けられる。
【００２８】
光学系収容室４７は、先端部本体３０に不図示の保護カバーを取り付けることよって閉じられる。先端部本体３０と保護カバーとの接合面はシール剤を介して接合され、これにより先端部本体３０と保護カバーとの隙間がシールされて、光学系収容室４７の気密が保持される。
【００２９】
光学系収容室４７の上部には、照射窓３４と観察窓３６とが配設されるとともに、観察窓３６に向けて不図示の送気・送水口が設けられる。送気・送水口は、挿入部１２に挿通された送気・送水チューブ（不図示）を介して外部装置に接続されており、操作部１４の送気・送水ボタン２１ａを操作することによって、圧縮エアまたは水が送気・送水口から観察窓３６に向けて噴射され、観察窓３６が洗浄される。なお、照射窓３４，観察窓３６、及び送気・送水口は、キャップ３２を先端部本体３０に被せた際、開口窓３２Ａに臨む位置に設けられている。以下、観察窓３６が配設された面を上面とし、観察窓３６から観察される観察方向を上方とする。
【００３０】
光学系収容室４７の内部には、不図示の撮影光学系及び照明光学系が収容される。照明光学系は、照射窓３４の内側に設置された照明レンズ（不図示）と、この照明レンズに先端が臨むように配置されたライトガイドとを備えている。ライトガイドは内視鏡１０の挿入部１２に挿通され、その基端部が不図示の光源装置に接続される。これにより、光源装置からの照射光がライトガイドを介して伝達され、照射窓３４から上方に向けて照射される。
【００３１】
撮影光学系は、観察窓３６の内側に配設された対物レンズと、この対物レンズの後方にプリズムを介して配設された不図示のＣＣＤユニット（Charge Coupled Device unit）とを備え、ＣＣＤユニットはケーブルを介して不図示の画像処理装置に接続される。この撮影光学系によって、観察窓３６から取り込まれた被写体像が電気信号に変換されて内視鏡１０に接続された画像処理装置（プロセッサ）に伝達され、当該画像処理装置を介してモニタに被写体像が表示される。
【００３２】
一方、起立レバー収容室４０は、先端部本体３０に不図示の保護板を被せることによって閉じられる。保護板は先端部本体３０に複数ヶ所でねじ止めされ（不図示）、保護板と先端部本体３０との隙間にはシール剤が充填される。これによって起立レバー収容室４０の気密性が保持される。
【００３３】
＜起立台起立レバー及び起立台の構成＞
起立レバー収容室４０の内部には起立台起立レバー４２が設けられる（図２，４参照）。図４に示すように、起立台起立レバー４２の下端部に設けられた回転軸４２ａが円形の穴４１に挿通され先端部本体３０に対し回転自在に軸支されて起立台４６の回転軸を構成する。
【００３４】
図５は起立台起立レバー４２の形状を示す図である。図５の（ａ）部分及び（ｂ）部分に示すように、起立台起立レバー４２は断面が円形の回転軸４２ａを有しており、この回転軸４２ａの先端に、回転軸４２ａと垂直な方向の断面が長方形の軸先端部４２ｂが形成されている。
【００３５】
一方、図６は起立台４６の形状を示す図である。図４及び図６に示すように、起立台４６には回転軸受け部４６ａが設けられている。回転軸受け部４６ａは、先端部本体３０に起立台４６を取り付けた際に、下面とは反対側（上面側）に開口する回転軸収容溝４６ｂを有しており、この回転軸収容溝４６ｂは、起立台起立レバー４２の軸先端部４２ｂを収容可能な大きさの長方形状に形成されている。したがって、起立台起立レバー４２の軸先端部４２ｂが起立台４６の回転軸受け部４６ｂに嵌合されることで起立台起立レバー４２が起立台４６に連結されて、起立台４６と共に一体に揺動するようになる。すなわち、本実施の形態では起立台起立レバー４２が起立台起立機構を構成する。
【００３６】
また、図４に示すように起立台起立レバー４２の上端部４２ｃには操作ワイヤ４４の先端側連結部４４ａが連結されており、この操作ワイヤ４４は挿入部１２に挿通されて、基端側連結部が操作部１４の操作レバー２０に連結される。したがって操作レバー２０を回動操作すると操作ワイヤ４４が押し引きされて起立台起立レバー４２が回転し、その結果、起立台４６が変位（起立又は倒伏）する。
【００３７】
＜起立台起立レバーと起立台との連結状態＞
図７は、起立台起立レバー４２と起立台４６とが結合されキャップ３２が先端部本体３０に装着された状態における先端部１２ａを示す断面図であり、図８は、図７に示す断面図の部分拡大図である。
【００３８】
図７，８に示すように、本実施の形態に係る内視鏡１０では、回転軸収容溝４６ｂの底面と先端部本体３０の下面に対向する面との間の肉厚をａとし、回転軸４２ａとキャップ３２の隔壁部３２Ｂとの間のギャップ距離をｂとし、回転軸収容溝４６ｂの深さをｃとし、回転軸受け部４６ａの基端側の肉厚（起立台４６の先端側と基端側とを結ぶ方向（図７，８に示す状態では左右方向）において、回転軸収容溝４６ｂの基端側の側壁面と起立台４６の基端との距離）をｄとすると、以下の条件式（１）〜（３）が満たされる。
【００３９】
ａ＜ｂ  …（１）
ａ＋ｃ＞ｂ  …（２）
ｂ＞ｄ  …（３）
本実施の形態では、条件式（１）より回転軸収容溝４６ｂの肉厚ａが回転軸４２ａとキャップ３２の隔壁部３２Ｂとの間のギャップ距離ｂよりも小さいので起立台４６をキャップ３２内に収納可能であり、また条件式（２）より肉厚ａと回転軸収容溝４６ｂの深さｃとの和がギャップ距離ｂよりも大きいので起立台４６の下面方向に脱落が規制される。したがって処置具を起上操作する際の起立台４６の角度（後述する第１倒伏位置より倒伏角度が小さい範囲）では、起立台４６は構造的に外れることがない。さらに、条件式（１），（３）より起立台の肉厚ａ，ｄがギャップ距離ｂより小さいので、先端部本体３０にキャップ３２を装着した状態で起立台４６を回転させることができる。なお起立台４６の端部４６ｃは、起立台４６を回転させたときに端部４６ｃがキャップ３２の隔壁部３２Ｂに接触しないように、回転軸収容溝４６ｂとの距離が上記ｄ以下である曲面形状に加工されている。
【００４０】
＜起立台の装着及び取り外し＞
なお上述のように処置具を起上操作する際の起立台４６の角度では、起立台４６は構造的に外れることがないので、起立台４６の先端部本体３０からの取り外しは、起立台４６を通常使用時の倒伏範囲外（後述する第１位置または第２位置；図９，１１参照）に変位させて行う。また起立台４６の先端部本体３０への装着は、起立台収容スリット３８に起立台４６を収容し、起立台起立レバー４２の軸先端部４２ｂを起立台４６の回転軸受け部４６ｂに嵌合させることで行う（図４参照）。このような起立台４６の装着も、第１位置または第２位置に対応する状態で行うことができる。
【００４１】
＜起立台の倒伏位置＞
図９は起立台４６が第１倒伏位置（先端部本体３０にキャップ３２が装着されており、起立台４６が先端側に倒伏してキャップ３２の隔壁部３２Ｂに当接する直前の位置）にある状態での先端部１２ａを示す図である。内視鏡１０は上述のように起立レバー収容室４０に保護板を被せた状態で使用されるが、図９では起立台起立レバー４２の倒伏状態を明示するため保護板の図示を省略し、保護板で覆われる起立レバー収容室４０及び起立台起立レバー４２等を点線で示している（図１０，１１において同じ）。なお図９ではキャップ３２の図示を省略しており、図１０ではキャップ３２を図示している。上述のように起立台収容スリット３８には上面から前面を通って下面まで延在した開口部３８ａ，３８ｂ，３８ｃが形成されているが、上述のように通常使用時には起立台４６の倒伏が隔壁部３２Ｂにより規制され、さらに操作部１４にストッパ機構６０（後述）が設けられているため、起立台４６が図９，１０に示す状態より下面側に倒伏することが防止されている。
【００４２】
一方図１１は、キャップ３２が取り外されており、さらに操作レバー２０の第２操作（後述）により起立台４６が図９，１０の状態（第１倒伏位置）よりも起立位置とは反対側に変位（下面側にさらに倒伏）して第２倒伏位置にある状態を示している。図１１の状態では起立台収容スリット３８からの起立台４６の露出（側面部分の露出）が図９，１０の状態よりも増えるので、操作者の手や治具で把持可能な範囲が増え、起立台４６の先端部本体３０への装着・取り外しを迅速かつ容易に行うことができる。
【００４３】
＜起立台起立レバー及び起立台の倒伏角度＞
図９に示すように、本実施の形態に係る内視鏡１０では、起立台４６の倒伏角度θ１が起立台起立レバー４２の倒伏角度θ２（内視鏡１０の軸方向と直交する方向Ｌを基準とした角度）よりも大きくなっている（θ１＞θ２）。仮に倒伏角度θ１≦θ２であるとすると、起立台４６を大きく（例えば、図１１に示す第２倒伏位置まで）倒伏させるためには起立台起立レバー４２をも大きく倒伏させる必要があり、したがって起立台起立レバー４２の回動スペース確保のために起立レバー収容室４０を大きくせざるを得ない。しかしながら本実施の形態に係る内視鏡１０では、倒伏角度θ１，θ２を上述のような関係に設定することで、起立台４６の倒伏角度θ１を起立台起立レバー４２の倒伏角度θ２より大きくすることができ、これにより起立台起立レバー４２の回動スペースを削減して、起立レバー収容室４０及びこれを含む先端部本体３０，先端部１２ａを小型化することができる。
【００４４】
＜ストッパ機構＞
次に、起立台のストッパ機構（係止機構）について説明する。図１２は、ストッパ機構６０の構造を示す概念図である。図１２に示すように、内視鏡１０では操作レバー２０の回動操作に連動して軸ＡＸを中心に回動する可動部６２が操作部１４に設けられており、この可動部６２の下面には突起６４ａを備える板バネ６４が装着されている。一方、操作部１４の本体側に固定して設けられた固定部６８には、可動部６２と対向する面にストッパ６８ａが設けられている。
【００４５】
ストッパ６８ａは、起立台４６の第１倒伏位置に対応した位置ＰＭＡＸに設けられている。したがって操作レバー２０を回動して突起６４ａをストッパ６８ａと係合させることで、起立台４６の回転範囲の一端が第１倒伏位置に規制される。なおこのような操作レバー２０の操作を「第１操作」というものとする。
【００４６】
したがって第１倒伏位置を越えて起立台４６を倒伏させるには、操作レバー２０に通常使用時の回動操作と異なる操作（通常よりも大きな力を意図的に加えて起立台４６をさらに倒伏させる操作；以下「第２操作」という）を行う必要があるため、第１倒伏位置から第２倒伏位置（図１１に示す状態）への倒伏が規制され、起立台４６の意図せぬ倒伏やこれによるキャップ３２の破損を防止することができる。また、第２操作を行うことで突起６４ａがストッパ６８ａを乗り越えて両者の係止が解除され、これにより起立台４６が第１倒伏位置を越えて第２倒伏位置まで倒伏する。この状態では起立台４６の起立台収容スリット３８からの露出（側面部分の露出）が図９，１０の状態よりも多く、起立台４６の先端部本体３０への装着・取り外しを迅速かつ容易に行うことができる。
【００４７】
なおストッパ機構６０において、突起６４ａやストッパ６８ａの数や大きさは必要な係止力の大きさに応じて定めればよい。
【００４８】
＜本実施形態の効果＞
以上説明したように本実施の形態に係る内視鏡１０では、起立台４６の先端部本体３０への装着・取り外しを迅速かつ容易に行うことができ、先端部１２ａの分解・組み立ての作業性が良好である。また、これにより先端部１２ａの洗浄を迅速かつ容易に行うことができる。
【００４９】
＜別発明＞
次に、本発明以外の別発明としての内視鏡について説明する。上記本発明の実施形態では、起立台４６の回転軸収容溝４６ｂと起立台起立レバー４２の回転軸先端部４２ｂとを嵌合させるようにしているが、別発明では、起立台４６と起立台起立レバー４２との結合の態様が本発明と異なっている。この別発明における起立台の形状の実施例を、図１３〜１５に示す。なお別発明としての内視鏡において、起立台の形状以外については上記本発明と同様の構成を採用できるため、詳細な説明を省略する。
【００５０】
図１３は別発明の一実施例としての起立台５０を示す図である。起立台５０では、起立台本体５０ａとクリップ５０ｂ（図１３中の丸印部分）とが接着等により一体化されており、クリップ５０ｂの回転軸先端部４２ｂに対する弾性変形及び付勢力を利用して起立台５０を起立台起立レバー４２に装着・固定する。具体的には、起立台５０ではクリップ５０ｂを軸先端部４２ｂに嵌合させて起立台起立レバー４２に装着するが、このときクリップ５０ｂは回転軸先端部４２ｂにより弾性変形し、装着後は付勢力により回転軸先端部４２ｂを上面側・下面側から押さえるため、起立台５０を起立台起立レバー４２に固定できる。また、クリップ５０ｂが回転軸先端部４２ｂよりも大きく弾性変形するようにすることで、起立台５０を起立台起立レバー４２から取り外すことができる。なおこのような装着・取り外し、及び固定の態様は図１４，１５に示す起立台５２，５４において同様である。
【００５１】
図１４は別発明の他の実施例としての起立台５２を示す図である。起立台５２では、起立台本体５２ａに対し板バネ５２ｂが溶接により一体化されており、板バネ５２ｂの回転軸先端部４２ｂに対する弾性変形及び付勢力を利用して起立台５２を起立台起立レバー４２に装着・固定する。
【００５２】
図１５は別発明のさらに他の実施例としての起立台５４を示す図である。起立台５４では、起立台本体５４ａに対し板バネ５４ｂがねじ止めにより一体化されており、板バネ５４ｂの回転軸先端部４２ｂに対する弾性変形及び付勢力を利用して起立台５４を起立台起立レバー４２に装着・固定する。図１５に示す態様では、図１４の態様よりも強度を向上させることができる。
【００５３】
上記態様の起立台５０，５２，５４は、クリップ５０ｂ，板バネ５２ｂ，５４ｂが回転軸先端部４２ｂによって弾性変形するため軸先端部４２ｂへの装着・取り外しが容易であり、先端部１２ａの分解・組み立ての作業性が良好であるとともに、クリップ５０ｂ，板バネ５２ｂ，５４ｂの付勢力により軸先端部４２ｂに確実に固定できる。なお上記別発明の各態様において、クリップ５０ｂ，板バネ５２ｂ，５４ｂの弾性変形や付勢力の大きさは、着脱の容易さや起立台５０，５２，５４と起立台起立レバー４２との固定の強さへの要求に応じて決めることができる。
【００５４】
なお本発明及び別発明は上述した実施の形態に限定されず、各発明の精神を逸脱しない範囲で種々の変形が可能である。
【符号の説明】
【００５５】
１０…内視鏡、１２…挿入部、１２ａ・・・先端部、１２ｂ…湾曲部、１２ｃ…軟性部、１４…操作部、１６…ユニバーサルコード、１８…アングルノブ、２０…操作レバー、２１ａ…送気・送水ボタン、２２…処置具導入口、３０…先端部本体、３２…キャップ、３２Ａ…開口窓、３２Ｂ…隔壁部、３４…照射窓、３６…観察窓、３８…起立台収容スリット、３８ａ，３８ｂ，３８ｃ…開口部、４０…起立レバー収容室、４１ａ，４１ｂ…側壁部、４２…起立台起立レバー、４２ａ…軸、４２ｂ…軸先端部、４２ｃ…上端部、４４…操作ワイヤ、４６，５０，５２，５４…起立台、４６ａ…回転軸受け部、４６ｂ…回転軸収容溝、４７…光学系収容室、６０…ストッパ機構、６２…可動部、６４…板バネ、６４ａ…突起、６８…固定部、６８ａ…ストッパ
【図１】
2018086271.tif 000003
【図２】
2018086271.tif 000004
【図３】
2018086271.tif 000005
【図４】
2018086271.tif 000006
【図５】
2018086271.tif 000007
【図６】
2018086271.tif 000008
【図７】
2018086271.tif 000009
【図８】
2018086271.tif 000010
【図９】
2018086271.tif 000011
【図１０】
2018086271.tif 000012
【図１１】
2018086271.tif 000013
【図１２】
2018086271.tif 000014
【図１３】
2018086271.tif 000015
【図１４】
2018086271.tif 000016
【図１５】
2018086271.tif 000017